(57)【要約】【課題】切り替えの対象となる光伝送装置および光ファイバの心線の確認を容易にかつ確実におこなうこと。【解決手段】送信側の伝送装置１１１から送信される光信号（波長Ｂ）と、波長が異なる、送信側の伝送装置の識別情報に関する光信号（波長Ａ）とが多重化され、送信された光信号（波長Ａ＋Ｂ）を、光ファイバケーブル１０６を介して受信し、受信した光信号を、分波し、分波した光信号（波長Ｂ）を受信側の伝送装置１４１に出力するとともに、分波した光信号（波長Ａ）を出力端子に出力する受信側のカプラ付接続コネクタ１３１と、カプラ付接続コネクタ１３１に出力端子を介して接続され、カプラ付接続コネクタ１３１から出力される光信号（波長Ａ）から識別情報を抽出し、抽出された識別情報を出力する伝送装置識別機１４１を備える。【選択図】図１
2018207183.tif 000002
【特許請求の範囲】
【請求項１】
送信側の伝送装置と受信側の伝送装置が光回線で接続された光伝送システムにおいて、
前記受信側の伝送装置と光回線の間に設けられ、前記送信側の伝送装置から送信される第１の信号と、当該第１の信号と波長が異なる、当該送信側の伝送装置の識別情報に関する第２の信号とが多重化され、送信された光信号を、前記光回線を介して受信し、受信した光信号を、前記第１の信号と前記第２の信号とに分波し、分波した前記第１の信号を前記受信側の伝送装置に出力するとともに、分波した前記第２の信号を出力端子に出力する受信側の接続装置と、
前記受信側の接続装置に前記出力端子を介して接続され、当該受信側の接続装置から出力される前記第２の信号から前記識別情報を抽出し、抽出された識別情報を出力する識別装置と、
を備えたことを特徴とする光伝送システム。
【請求項２】
前記受信側の接続装置は、前記光回線との接続を切断する切断部を備えることを特徴とする請求項１に記載の光伝送システム。
【請求項３】
前記受信側の接続装置は、光配線盤内に設けられていることを特徴とする請求項１または２に記載の光伝送システム。
【請求項４】
前記識別装置は、前記受信側の接続装置の前記出力端子に着脱可能に接続されることを特徴とする請求項１〜３のいずれか一つに記載の光伝送システム。
【請求項５】
前記送信側の伝送装置は、前記第２の信号を生成し、前記第１の信号と多重化し、多重化された光信号を前記光回線へ出力することを特徴とする請求項１〜４のいずれか一つに記載の光伝送システム。
【請求項６】
前記送信側の伝送装置と前記光回線との間に設けられる送信側の接続装置と、
前記送信側の接続装置に接続され、前記第２の信号を生成し、前記接続装置に出力する識別情報生成装置と、
を備え、
前記送信側の接続装置は、前記識別情報生成装置から入力した前記第２の信号と、前記第１の信号とを多重化し、多重化された信号を前記回線へ出力することを特徴とする請求項１〜４のいずれか一つに記載の光伝送システム。
【請求項７】
送信側の伝送装置と受信側の伝送装置が光回線で接続された光伝送システムにおいて、
前記受信側の伝送装置が、
前記送信側の伝送装置から送信される第１の信号と、当該第１の信号と波長が異なる、当該送信側の伝送装置の識別情報に関する第２の信号とが多重化された光信号を、前記光回線から入力し、入力された光信号から、前記第２の信号を分波し、分波された第２の信号から前記識別情報を抽出し、抽出した識別情報を出力することを特徴とする光伝送システム。
【請求項８】
送信側の光伝送装置から出力される第１の光信号に、当該第１の光信号とは波長が異なる、当該送信側の光伝送装置を識別する識別情報に関する第２の光信号を多重化して、光回線を介して、受信側の光伝送装置へ送信し、
送信された多重化信号から、前記第２の光信号を分波し、
分波された前記第２の光信号から、前記識別情報を抽出して、抽出された識別情報を出力することを特徴とする回線識別方法。
【発明の詳細な説明】
【技術分野】
【０００１】
この発明は、光ファイバケーブルを用いた光信号による通信をおこなう光伝送システムおよびその光伝送システムにおける回線識別方法に関する。
【背景技術】
【０００２】
従来、各拠点間に設けられ、光回線（光ファイバケーブル）を介して接続される伝送装置（光伝送装置）において、必要に応じて、光伝送装置および光ファイバケーブルの接続を切り替える作業を、担当作業員が手動にておこなっている。この切り替え作業は、切り替えが必要な光伝送装置および光ファイバケーブルを、切り替え作業の内容が記載された工事作業書などに基づいて、光伝送装置および光ファイバケーブルの接続状況が示されている工事図面などを参照しておこなわれる。
【０００３】
その際に、切り替え対象ではない、運用中の通信回線を誤って切断させてしまわないように、担当作業員は、慎重に工事図面で確認するほかに、さらに、現地（切り替え作業現場）において、切り替え作業対象の光伝送装置や光ファイバケーブルの心線を判別する作業を実施している。
【０００４】
判別作業の一例として、たとえば、切り替え対象と判断した回線の光コネクタを実際に外して、レベルが落ちることを瞬時確認している。また、たとえば、光ファイバケーブルは、心線を屈曲することでレベルが下がる性質があることから、切り替え対象と判断した回線光ファイバケーブルの心線を一時的に曲げて、光レベルが下がることを確認している。このような、現地で確認をおこなうことによって、誤切断をなくし、切り替え作業の確実性を担保している。
【０００５】
関連する技術として、従来、たとえば、所望の光ファイバ心線の加入者側端部から１５５０ｎｍより長く１６５０ｎｍより短い波長の判別光を入射し、光ファイバの分岐部と加入者側端部との間において判別光の漏洩を測定するようにした技術（たとえば、下記特許文献１を参照。）や、期待値を設定した受信器に送信機から主信号にトレース値を挿入した信号を送信し、トレース値と期待値とを比較することにより光ファイバの誤接続の有無を検出するようにした技術（たとえば、下記特許文献２を参照。）がある。
【先行技術文献】
【特許文献】
【０００６】
【特許文献１】特開２００９−２６５５１１号公報
【特許文献２】特開２００１−３５８６５７号公報
【発明の概要】
【発明が解決しようとする課題】
【０００７】
しかしながら、上述した従来の技術において、たとえば、瞬時確認、すなわち、切り替え対象と判断した回線の光コネクタを実際に外して、レベルが落ちることを確認する場合には、光コネクタを瞬時ではあるが外してしまうことになるため、万一、切り替え作業対象以外の光コネクタを外してしまった場合、運用中の健全回線の通信断により、予期せぬ事態を発生させてしまうという問題点があった。
【０００８】
また、たとえば、切り替え対象と判断した回線の光ファイバケーブルの心線を、外すことなく、一時的に曲げて光レベルが下がることを確認する場合には、光ファイバケーブルを曲げた際のレベル低下で、光コネクタを外した場合と同様に、運用中の健全回線の通信断が発生する虞れがあり、やはり、予期せぬ事態を発生させてしまうという、同様の問題点があった。
【０００９】
また、従来の確認方法、すなわち、光コネクタを外したり、光ファイバケーブルの心線を曲げる方法では、光信号の有無しか判別できず、どの光伝送装置がどの光ファイバケーブルを用いているかを明確に判別することができないため、万一、工事図面の記載に誤りがあった場合には、誤って運用中の健全回線を通信停止させてしまうという虞れがある。そのため、切り替え工事には、より慎重な対応が求められ、担当作業員の精神的負担も大きくなっていた。
【００１０】
この発明は、上述した従来技術による問題点を解消するため、切り替えの対象となる光伝送装置および光ファイバケーブルの心線の確認を容易にかつ確実におこなうことができる光伝送システムおよび回線識別方法を提供することを目的とする。
【課題を解決するための手段】
【００１１】
上述した課題を解決し、目的を達成するため、この発明にかかる光伝送システムは、送信側の伝送装置と受信側の伝送装置が光回線で接続された光伝送システムにおいて、前記受信側の伝送装置と光回線の間に設けられ、前記送信側の伝送装置から送信される第１の信号と、当該第１の信号と波長が異なる、当該送信側の伝送装置の識別情報に関する第２の信号とが多重化（合波）され、送信された光信号を、前記光回線を介して受信し、受信した光信号を、前記第１の信号と前記第２の信号とに分波し、分波した前記第１の信号を前記受信側の伝送装置に出力するとともに、分波した前記第２の信号を出力端子に出力する受信側の接続装置と、前記受信側の接続装置に前記出力端子を介して接続され、当該受信側の接続装置から出力される前記第２の信号から前記識別情報を抽出し、抽出された識別情報を出力する識別装置と、を備えたことを特徴とする。
【００１２】
また、この発明にかかる光伝送システムは、上記の発明において、前記受信側の接続装置が、前記光回線との接続を切断する切断部を備えることを特徴とする。
【００１３】
また、この発明にかかる光伝送システムは、上記の発明において、前記受信側の接続装置が、光配線盤内に設けられていることを特徴とする。
【００１４】
また、この発明にかかる光伝送システムは、上記の発明において、前記識別装置が、前記受信側の接続装置の前記出力端子に着脱可能に接続されることを特徴とする。
【００１５】
また、この発明にかかる光伝送システムは、上記の発明において、前記送信側の伝送装置が、前記第２の信号を生成し、前記第１の信号と多重化（合波）し、多重化された光信号を前記光回線へ出力することを特徴とする。
【００１６】
また、この発明にかかる光伝送システムは、上記の発明において、前記送信側の伝送装置と前記光回線との間に設けられる送信側の接続装置と、前記送信側の接続装置に接続され、前記第２の信号を生成し、前記接続装置に出力する識別情報生成装置と、を備え、前記送信側の接続装置が、前記識別情報生成装置から入力した前記第２の信号と、前記第１の信号とを多重化（合波）し、多重化された信号を前記回線へ出力することを特徴とする。
【００１７】
また、この発明にかかる光伝送システムは、送信側の伝送装置と受信側の伝送装置が光回線で接続された光伝送システムにおいて、前記受信側の伝送装置が、前記送信側の伝送装置から送信される第１の信号と、当該第１の信号と波長が異なる、当該送信側の伝送装置の識別情報に関する第２の信号とが多重化された光信号を、前記光回線から入力し、入力された光信号から、前記第２の信号を分波し、分波された第２の信号から前記識別情報を抽出し、抽出した識別情報を出力することを特徴とする。
【００１８】
また、この発明にかかる回線識別方法は、送信側の光伝送装置から出力される第１の光信号に、当該第１の光信号とは波長が異なる、当該送信側の光伝送装置を識別する識別情報に関する第２の光信号を多重化（合波）して、光回線を介して、受信側の光伝送装置へ送信し、送信された多重化信号から、前記第２の光信号を分波し、分波された前記第２の光信号から、前記識別情報を抽出して、抽出された識別情報を出力することを特徴とする。
【発明の効果】
【００１９】
この発明にかかる光伝送システムおよび回線識別方法によれば、主信号を瞬断させることなく、または、主信号のレベルを低下させることなく、切り替えの対象となる光伝送装置および光ファイバの心線の確認ができ、光伝送装置および光ファイバの切り替え作業を確実におこなうことができ、かつ、当該作業における負荷を軽減できるという効果を奏する。
【図面の簡単な説明】
【００２０】
【図１】実施の形態１にかかる光伝送システムのシステム構成を示す説明図である。
【図２】実施の形態１にかかる光伝送システムにおけるカプラ付接続コネクタの機能的構成を示すブロック図である。
【図３】実施の形態１にかかる光伝送システムにおける伝送装置識別機の構成を示すブロック図である。
【図４】実施の形態１にかかる光伝送システムの回線識別方法における作業手順を示すフローチャートである。
【図５】実施の形態２にかかる光伝送システムのシステム構成を示す説明図である。
【図６】実施の形態２にかかる光伝送システムにおける識別信号生成装置の機能的構成を示すブロック図である。
【図７】実施の形態２にかかる光伝送システムにおけるカプラ付接続コネクタの機能的構成を示すブロック図である。
【発明を実施するための形態】
【００２１】
以下に添付図面を参照して、この発明にかかる光伝送システムおよび回線識別方法の好適な実施の形態を詳細に説明する。
【００２２】
（実施の形態１）
（光伝送システムのシステム構成）
まず、この発明の実施の形態１にかかる光伝送システムのシステム構成について説明する。図１は、実施の形態１にかかる光伝送システムのシステム構成を示す説明図である。
【００２３】
図１において、光伝送システム１００は、その一例として、複数の通信拠点、すなわち、通信拠点−甲１０１、通信拠点−乙１０２、通信拠点−丙１０３、通信拠点−丁１０４の４つの拠点を有している。各通信拠点は、たとえば、電力会社における、電力所、制御所、営業所などの拠点であってもよく、その他の拠点であってもよい。
【００２４】
光ファイバケーブル１０５は、通信拠点−甲１０１と、通信拠点−乙１０２との間に設けられ、両拠点を結ぶ光通信回線である。また、光ファイバケーブル１０６は、通信拠点−乙１０２と、通信拠点−丙１０３との間に設けられ、両拠点を結ぶ光通信回線である。また、光ファイバケーブル１０７は、通信拠点−丙１０３と、通信拠点−丁１０４との間に設けられ、両拠点を結ぶ光通信回線である。このように、通信拠点間においては、あらかじめ光通信回線すなわち光ファイバケーブルが施設されている。
【００２５】
光伝送装置Ａ（装置ＩＤ：０００１）１１１および光伝送装置Ｂ（装置ＩＤ：０００２）１１２は、通信拠点−乙１０２に設けられている。また、光伝送装置Ｃ（装置ＩＤ：０００３）１１３は、通信拠点−甲１０１に設けられている。また、光伝送装置Ｄ１１４は、通信拠点−丙１０３に設けられている。また、光伝送装置Ｅ１１５および光伝送装置Ｆ１１６は、通信拠点−丁１０４に設けられている。このように、拠点の規模や役割、あるいは、中継局としての機能を有するかなどによって、光伝送装置の台数やその規模が異なる。
【００２６】
また、通信拠点−乙１０２には、光配線盤１１７が設けられており、通信拠点−丙１０３には、光配線盤１１８が設けられている。図示を省略するが、通信拠点−甲１０１および通信拠点−丁１０４にも、同様の光配線盤が設けられている。
【００２７】
そして、光配線盤１１７には、接続装置である複数のカプラ付接続コネクタ（カプラ付接続コネクタ１２１、１２２、１２３、１２４、．．．）が設けられている。光配線盤１１７と同様に、光配線盤１１８にも、接続装置である複数のカプラ付接続コネクタ（カプラ付接続コネクタ１３１、１３２、１３３、１３４、．．．）が設けられている。
【００２８】
カプラ付接続コネクタ１２１の一端には、光伝送装置Ａ１１１が接続されている。そして、カプラ付接続コネクタ１２１の他端には、光ファイバケーブル１０６を介して、通信拠点−丙１０３の光配線盤１１８のカプラ付接続コネクタ１３１の一端（第１の端部）が接続されている。カプラ付接続コネクタ１３１の他端（第２の端部）には、光伝送装置Ｄ１１４が接続されている。これにより、光伝送装置Ａ１１１と、光伝送装置Ｄ１１４とが、光ファイバケーブル１０６を介して接続されていることがわかる。
【００２９】
また、カプラ付接続コネクタ１３１の別の端部（第３の端部）には、伝送装置識別機１４１が着脱可能に接続されている。伝送装置識別機１４１の内容については、図３を用いて、後述する。
【００３０】
カプラ付接続コネクタ１２２とカプラ付接続コネクタ１３２は、それぞれ一端を光ファイバケーブル１０６を介して接続しているが、他端については、互いに何も接続されていない。したがって、カプラ付接続コネクタ１２２とカプラ付接続コネクタ１３２との間の光ファイバケーブル１０６は、現時点では通信には使用されていないことがわかる。
【００３１】
カプラ付接続コネクタ１２３の一端には、光伝送装置Ｂ１１２が接続されている。そして、カプラ付接続コネクタ１２３の他端には、光ファイバケーブル１０６を介して、通信拠点−丙１０３の光配線板１１８のカプラ付接続コネクタ１３３の一端が接続されている。カプラ付接続コネクタ１３３の他端には、光ファイバケーブル１０７を介して、通信拠点−丁１０４の光伝送装置Ｅ１１５が接続されている（通信拠点−丁１０４においてもカプラ付接続コネクタを介しているが、図示を省略している）。これにより、光伝送装置Ｂ１１２と、光伝送装置Ｅ１１５とが、通信拠点−丙１０３を経由して、光ファイバケーブル１０６、１０７を介して接続されていることがわかる。
【００３２】
カプラ付接続コネクタ１２４の一端には、光ファイバケーブル１０５を介して、通信拠点−甲１０１の光伝送装置Ｃ１１３が接続されている（通信拠点−甲１０１においてもカプラ付接続コネクタを介しているが、図示を省略している）。そして、カプラ付接続コネクタ１２４の他端には、光ファイバケーブル１０６を介して、通信拠点−丙１０３の光配線板１１８のカプラ付接続コネクタ１３４の一端が接続されている。
【００３３】
カプラ付接続コネクタ１３４の他端には、光ファイバケーブル１０７を介して、通信拠点−丁１０４の光伝送装置Ｆ１１６が接続されている（カプラ付接続コネクタの図示を省略している）。これにより、光伝送装置Ｃ１１３と、光伝送装置Ｆ１１６とが、通信拠点−乙１０２および通信拠点−丙１０３を経由して、光ファイバケーブル１０５、１０６、１０７を介して接続されていることがわかる。
【００３４】
（送信側の光伝送装置Ａ１１１の機能的構成）
つぎに、送信側の光伝送装置の機能的構成について説明する。図１において、送信側の光伝送装置として、光伝送装置Ａ１１１を用いて説明する。光伝送装置Ａ１１１は、通信回線多重化部１５１と、電気／光信号変換部１５２と、装置識別信号送出部１５３と、光波長多重化部（合波部）１５４と、を備えている。
【００３５】
通信回線多重化部１５１は、光伝送装置Ａ１１１に接続されている、図示を省略する各装置と通信回線で接続され、当該各通信回線からの（電気）信号を受信し、それらの信号を多重化する。
【００３６】
電気／光信号変換部１５２は、通信回線多重化部１５１と接続され、通信回線多重化部１５１において多重化された電気信号を、所定の波長（波長Ｂ）の光信号に変換し、光波長多重化部１５４へ送出する。光伝送装置の信号送受信（主信号）は、通常、１．３１μｍや１．５１μｍなどの波長１波を使用して伝送する。
【００３７】
装置識別信号送出部１５３は、光伝送装置Ａ１１１の装置ＩＤである「０００１」に関する信号を、所定の波長（波長Ａ）の光信号に重畳して、光波長多重化部１５４へ送出する。波長Ａは、波長Ｂとは異なる周波数（干渉しない周波数）の波長とする。信号の送出は、連続的に繰り返しておこなうようにしてもよい。また、繰り返す回数を所定回数に制限してもよい。また、繰り返す時間を所定時間に制限してもよい。
【００３８】
光波長多重化部（合波部）１５４は、電気／光信号変換部１５２から送出された波長Ｂの光信号と、装置識別信号送出部１５３から送出された波長Ａの光信号を多重化（合波）する。多重化された光信号（波長Ａ＋Ｂ）は、カプラ付接続コネクタ１２１に入力され、そこから、光ファイバケーブル１０６を介してカプラ付接続コネクタ１３１に送られる。光ファイバケーブル１０６は、波長を変えることで、光伝送装置の信号送受信に必要な波長以外の波長も重畳して伝送することができるので、その性質を利用して、信号（波長Ａ＋Ｂ）は、光ファイバケーブル１０６を介して、送信することができる。
【００３９】
（受信側のカプラ付接続コネクタ１３１の機能的構成）
つぎに、受信側の接続装置について説明する。受信側の接続装置として、カプラ付接続コネクタ１３１を用いて説明する。図２は、実施の形態１にかかる光伝送システムのカプラ付接続コネクタの機能的構成を示すブロック図である。
【００４０】
図２において、カプラ付接続コネクタ１３１は、入力部Ａ２０１と、分波部（カプラ）２０２と、出力部Ａ２０３と、出力部Ｂ２０４と、入力部Ｂ２０５と、出力部Ｃ２０６と、切断部２０７と、を備えている。
【００４１】
入力部Ａ２０１は、光ファイバケーブル１０６を介して光伝送装置Ａ１１１からの光信号（波長Ａ＋Ｂ）を入力し、多重化された光信号のままで分波部２０２に渡す。分波部２０２は、受け取った光信号を分波し、波長Ａの光信号と波長Ｂの光信号に分ける。そして、分波部２０２は、波長Ａの光信号を出力部Ａ２０３に渡し、波長Ｂの光信号を出力部Ｂ２０４に渡す。分波部２０２は、カプラによってその機能を実現することができる。
【００４２】
出力部Ａ２０３は、着脱可能に接続されている伝送装置識別機１４１へ、波長Ａの光信号を出力する。また、出力部Ｂ２０４は、接続されている光伝送装置Ｄ１１４へ、波長Ｂの光信号を出力する。
【００４３】
また、入力部Ｂ２０５は、光伝送装置Ｄ１１４から送信された光信号を入力し、出力部Ｃ２０６へ渡す。出力部Ｃ２０６は、入力部Ｂ２０５から受け取った光信号を光ファイバケーブル１０６へ出力することで、光伝送装置Ａ１１１へ送信する。
【００４４】
このように、光伝送装置Ａ１１１と光伝送装置Ｄ１１４との光信号の送受信を妨げることなく、識別信号が重畳された光信号だけを伝送装置識別機１４１へ出力することができる。
【００４５】
切断部２０７は、光ファイバケーブル１０６と、入力部Ａ２０１および出力部Ｃ２０６との接続を切断する。具体的には、接続端子（コネクタ）から光ファイバケーブルを取り外すことで切断してもよく、また、図示は省略するが、カプラ付接続コネクタ１３１に所定のボタンあるいはスイッチを設け、そのボタンあるいはスイッチを操作することによって、光ファイバケーブル１０６と、入力部Ａ２０１および出力部Ｃ２０６との接続を切断するようにしてもよい。
【００４６】
（伝送装置識別機１４１の機能的構成）
つぎに、受信側の識別装置について説明する。受信側の識別装置として、伝送装置識別機１４１を用いて説明する。図３は、実施の形態１にかかる光伝送システムにおける伝送装置識別機の構成を示すブロック図である。
【００４７】
図３において、伝送装置識別機１４１は、入力部３０１と、識別信号抽出部３０２と、識別情報出力部３０３と、を備えている。入力部３０１は、伝送装置識別機１４１が接続しているカプラ付接続コネクタ１３１から出力された波長Ａの光信号を入力し、識別信号抽出部３０２へ渡す。
【００４８】
識別信号抽出部３０２では、受け取った波長Ａの光信号から、光伝送装置Ａ１１１の識別信号（装置ＩＤ：０００１）を抽出する。そして、抽出した識別信号を識別情報出力部３０３へ渡す。識別情報出力部３０３は、受け取った識別信号に基づいて、光伝送装置Ａ１１１（装置ＩＤ：０００１）であることを示す識別情報を出力する。具体的には、図示は省略するが、伝送装置識別機１４１に設けられたディスプレイに、識別情報を表示する。識別情報としては、装置ＩＤであってもよく、また、装置ＩＤに関連付けられた装置の名称その他、担当作業員が認識可能な情報であればよい。
【００４９】
（回線識別の作業手順）
つぎに、回線識別の作業手順について説明する。図４は、実施の形態１にかかる光伝送システムの回線識別方法における作業手順を示すフローチャートである。図４のフローチャートにおいて、担当作業員は、まず、光配線盤１１８に設けられている複数のカプラ付接続コネクタのうちのいずれか一つに、伝送装置識別機１４１を接続する（ステップＳ４０１）。
【００５０】
作業員は、切断すべき配線については、作業手順書、作業図面などによってあらかじめ確認しているので、その作業手順書、作業図面などに基づいて、該当するであろうカプラ付接続コネクタに接続するのがよい。
【００５１】
つぎに、伝送装置識別機１４１から識別情報を出力（表示）させる（ステップＳ４０２）。そして、表示された識別情報から、識別情報が送られてきた光伝送装置を確認する（ステップＳ４０３）。
【００５２】
確認した結果、識別情報にかかる光伝送装置が、切断すべき配線にかかる正しい光伝送装置であるかを判断する（ステップＳ４０４）。ここで、正しい光伝送装置である場合（ステップＳ４０４：Ｙｅｓ）は、切断処理を実行し（ステップＳ４０５）、一連の作業処理を終了する。
【００５３】
一方、ステップＳ４０４において、正しくない光伝送装置である場合（ステップＳ４０４：Ｎｏ）は、別の（たとえば近隣の）カプラ付接続コネクタに伝送装置識別機１４１を接続し（ステップＳ４０６）、ステップＳ４０２へ戻る。そして、切断処理（ステップＳ４０５）が終了するまで、ステップＳ４０２〜Ｓ４０６を繰り返し実行する。
【００５４】
以上説明したように、実施の形態１にかかる光伝送システム１００は、光伝送装置Ａ１１１（送信側の伝送装置）と光伝送装置Ｄ１１４（受信側の伝送装置）が光ファイバケーブル１０６（光回線）で接続され、光伝送装置Ｄ１１４と光ファイバケーブル１０６の間に設けられ、光伝送装置Ａ１１１から送信される波長Ｂの光信号（第１の信号）と、波長Ｂの光信号と波長が異なる、光伝送装置Ａ１１１の識別情報に関する波長Ａの光信号（第２の信号）とが多重化され、送信された波長Ａ＋Ｂの光信号を、光ファイバケーブル１０６を介して受信し、受信した光信号を、波長Ｂの光信号と波長Ａの光信号とに分波し、分波した波長Ｂの光信号を光伝送装置Ｄ１１４に出力するとともに、分波した波長Ａの光信号を出力端子に出力するカプラ付接続コネクタ１３１（受信側の接続装置）と、受信側の接続装置に前記出力端子を介して接続され、カプラ付接続コネクタ１３１から出力される波長Ａの光信号から識別情報を抽出し、抽出された識別情報を出力する伝送装置識別機１４１（識別装置）と、を備えるという構成である。
【００５５】
また、実施の形態１にかかる回線識別方法は、光伝送装置Ａ１１１から出力される波長Ａの光信号（第１の光信号）に、波長Ａの光信号とは波長が異なる、光伝送装置Ａ１１１を識別する識別情報に関する波長Ｂの光信号（第２の光信号）を多重化（合波）して、光ファイバケーブル１０６を介して、光受信装置Ｄ１１４へ送信し、送信された多重化信号から、波長Ｂの光信号を分波し、分波された光信号から、識別情報を抽出して、抽出された識別情報を出力するという構成である。
【００５６】
このように構成することによって、実施の形態１にかかる光伝送システム１００は、光伝送装置間の主信号を瞬断させることなく、または、主信号のレベルを低下させることなく、切り替えの対象となる光伝送装置Ａ１１１および光ファイバケーブル１０６の心線の確認ができる。したがって、光伝送装置Ａ１１１および光ファイバケーブル１０６の切り替え作業を確実におこなうことができる。担当作業員にとって、誤って運用中の健全回線を通信停止させてしまうという虞れにかかる不安感や精神的負担をより軽減することができる。
【００５７】
また、実施の形態１にかかる光伝送システム１００は、カプラ付接続コネクタ１３１が、光ファイバケーブル１０６との接続を切断する切断部２０７を備え、カプラ付接続コネクタ１３１が、光配線盤１１８内に設けられる。これにより、光配線盤１１８内に設けられたカプラ付接続コネクタ１３１において、光伝送装置Ｄ１１４と光ファイバケーブル１０６とを確実に切断することができる。
【００５８】
また、伝送装置識別機１４１は、カプラ付接続コネクタ１３１の出力端子に着脱可能に接続される。これにより、カプラ付接続コネクタ１３１以外の複数のカプラ付接続コネクタにも、順次接続することができ、一つの伝送装置識別機１４１で、複数の回線について判別処理をおこなうことができる。
【００５９】
また、実施の形態１にかかる光伝送システム１００は、光伝送装置Ａ１１１が、光伝送装置Ａ１１１の識別情報に関する波長Ａの光信号（第２の信号）を生成し、光伝送装置Ａ１１１から送信される波長Ｂの光信号（第１の信号）と多重化（合波）し、多重化された光信号を光ファイバケーブルの１０６へ出力する。これにより、光伝送装置Ａ１１１内において、波長Ａの信号と、波長Ｂの信号とを多重化することができる。
【００６０】
（実施の形態２）
（光伝送システムのシステム構成）
つぎに、この発明の実施の形態２にかかる光伝送システムのシステム構成について説明する。図５は、実施の形態２にかかる光伝送システムのシステム構成を示す説明図である。
【００６１】
図１に示した光伝送システム１００と、図５に示した光伝送システム１００では、通信拠点−乙１０２のみが異なり、その他の構成については、図１と図５とは同じである。したがって、通信拠点−乙１０２のみの説明をおこない、その他の構成については、その説明を省略する。
【００６２】
図５において、あらたに、識別信号生成装置５０１が追加されている。また、光伝送装置Ａ１１１の構成も、実施の形態１の光伝送装置Ａ１１１とは異なっている。そして、実施の形態１において送り側の光伝送装置である光伝送装置Ａ１１１のおこなっていた識別信号の生成（送出）を、あらたに追加した識別信号生成装置５０１が、光伝送装置Ａ１１１に代わっておこなうものである。
【００６３】
それにともなって、光伝送装置Ａ１１１の機能的構成において、装置識別信号送出部１５３、光波長多重化部１５４は不要となる。したがって、光伝送装置Ａ１１１は、電気／光信号変換部１５２において変換された波長Ｂの光信号を、なにもせずに、そのままカプラ付接続コネクタ１２１へ出力する。
【００６４】
（識別信号生成装置５０１の機能的構成）
つぎに、送信側の識別情報生成装置について説明する。送信側の識別情報生成装置として、識別信号生成装置５０１を用いて説明する。図６は、実施の形態２にかかる光伝送システムにおける識別信号生成装置の機能的構成を示すブロック図である。
【００６５】
図６において、識別信号生成装置５０１は、装置ＩＤ入力部６０１と、装置識別信号生成部６０２と、出力部６０３とを備えている。装置ＩＤ入力部６０１は、識別する光伝送装置の装置ＩＤを入力する。
【００６６】
装置ＩＤ入力部６０１は、具体的には、キーボード、テンキーなどの文字・数字入力装置によってその機能を実現することができる。また、接続端子によって、装置ＩＤに関する情報を入力するようにしてもよい。また、装置ＩＤ入力部６０１は、有線または無線の通信機能を備えていてもよい。そして、装置ＩＤに関する情報を、所定の光伝送装置または、図示を省略するサーバ（サーバの詳細については後述する）などから受信するようにしてもよい。
【００６７】
装置識別信号生成部６０２は、図１に示した装置識別信号送出部１５３と同様に、光伝送装置の装置ＩＤに関する信号を、所定の波長（波長Ａ）の光信号にして、出力部６０３へ渡す。出力部６０３は、装置識別信号生成部６０２から波長Ａの光信号を受け取って、その光信号を、接続されているカプラ付接続コネクタ１２１へ送出する。
【００６８】
このように、識別信号生成装置５０１を、光伝送装置とは別個の装置として設けることができるので、光伝送装置において識別信号を生成しなくてもよい。また、装置識別信号を自由に入力し、その信号に基づいて、光伝送装置の識別処理を実行することができる。
【００６９】
（送信側のカプラ付接続コネクタ１２１の機能的構成）
つぎに、送信側の接続装置について説明する。送信側の接続装置として、カプラ付接続コネクタ１２１を用いて説明する。図７は、実施の形態２にかかる光伝送システムのカプラ付接続コネクタの機能的構成を示すブロック図である。
【００７０】
図７において、カプラ付接続コネクタ１２１は、入力部Ａ７０１と、入力部Ｂ７０２と、光波長多重化部（合波部）７０３と、出力部Ａ７０４と、入力部Ｃ７０５と、出力部７０６と、を備えている。
【００７１】
入力部Ａ７０１は、識別信号生成装置５０１から送出されたＡ波長の光信号を入力し、光波長多重化部７０３に渡す。入力部Ｂ７０２は、光伝送装置Ａ１１１からの波長Ｂの光信号を入力し、光波長多重化部７０３に渡す。光波長多重化部７０３は、受け取ったＡ波長の光信号とＢ波長の光信号を多重化（合波）し、多重化した光信号（波長Ａ＋Ｂ）を出力部Ａ７０４に渡す。光波長多重化部７０３は、カプラによってその機能を実現することができる。
【００７２】
出力部Ａ７０４は、光波長多重化部７０３から受け取った光信号を、光ファイバケーブル１０６へ出力することで、光伝送装置Ｄ１１４へ送信する。
【００７３】
また、入力部Ｃ７０５は、光ファイバケーブル１０６を介して光伝送装置Ｄ１１４から送信された光信号を入力し、出力部Ｂ７０６へ渡す。出力部Ｃ７０６は、入力部Ｃ７０５から受け取った光信号を光伝送装置Ａ１１１へ出力する。
【００７４】
このように、送信側の接続装置であるカプラ付接続コネクタ１２１に、光信号の多重化処理をおこなわせることができ、光伝送装置の負荷を軽減することができる。
【００７５】
以上説明したように、この実施の形態の光伝送システムは、光伝送装置Ａ１１１（送信側の伝送装置）と光ファイバケーブル１０６（光回線）との間に設けられるカプラ付接続コネクタ１２１（送信側の接続装置）と、カプラ付接続コネクタ１２１に接続され、波長Ａの光信号（第２の信号）を生成し、カプラ付接続コネクタ１２１に出力する識別信号生成装置５０１（識別情報生成装置）と、を備え、カプラ付接続コネクタ１２１は、識別信号生成装置５０１から入力した波長Ａの信号と、光伝送装置Ａ１１１から出力される波長Ｂの信号（第１の信号）とを多重化（合波）し、多重化された信号を光ファイバケーブル１０６へ出力するという構成である。
【００７６】
これにより、光伝送装置Ａ１１１（送信側の伝送装置）が識別信号生成機能を備えることなく、実施の形態１と同様の作用効果を奏することができる。したがって、既存の光伝送装置の構成を何ら変更しなくて済む。
【００７７】
（実施の形態３）
つぎに実施の形態３について説明する。実施の形態３にかかる光伝送システムのシステム構成について説明する。実施の形態３における光伝送装置Ａ１１１の構成は、図１に示した実施の形態１における光伝送装置Ａ１１１と同じ構成である。
【００７８】
そして、実施の形態３では、図示は省略するが、通信拠点−丙１０３において、光伝送装置Ｄ１１４内において、伝送装置識別機１４１の機能を実現させる。すなわち、光伝送装置Ｄ１１４は、少なくとも、伝送装置識別機１４１の識別信号抽出部３０２と、識別情報出力部３０３とを備え、それらの機能を実現する。
【００７９】
したがって、実施の形態１および２において示した伝送装置識別機１４１は不要となる。また、実施の形態２において示した識別信号生成装置５０１も不要となる。実施の形態３にかかる光伝送システムは、これらの装置１４１、５０１を備えていなくても、実施の形態１、実施の形態２と同様の作用効果を奏することができる。
【００８０】
（実施の形態４）
つぎに実施の形態４について説明する。実施の形態３にかかる光伝送システムのシステム構成について説明する。実施の形態４にかかる光伝送システムは、図示を省略するサーバを備え、実施の形態１〜実施の形態３において示した、各光伝送装置、伝送装置識別機、識別信号生成装置を、互いに有線または無線の通信で接続し、互いの情報をデータベース化して共有する。
【００８１】
それによって、いずれかの担当作業員が接続を変更した場合に、直ちにその変更が反映され、光伝送装置の接続状況をリアルタイムで把握することができるので、複数の担当作業員が複数箇所において、同時期に切り替え作業を実施する場合であっても、確実な作業をおこなうことが可能となる。
【００８２】
また、光伝送装置の接続状況をリアルタイムで把握し、データベース化することによって、各光伝送装置の状態を確実に把握することができるので、それによって、固定資産の管理業務における運用に活用することもできる。
【産業上の利用可能性】
【００８３】
以上のように、この発明にかかる光伝送システムおよび回線識別方法は、送信側の伝送装置と受信側の伝送装置が光ファイバで接続された光伝送システムおよび回線識別方法に有用であり、特に、切り替えの対象となる光伝送装置および光ファイバの心線の確認をおこなう光伝送システムに適している。
【符号の説明】
【００８４】
１００  光伝送システム
１０１、１０２、１０３、１０４  通信拠点
１０５、１０６、１０７  光ファイバケーブル
１１１、１１２、１１３、１１４、１１５、１１６  光伝送装置
１１７、１１８  光配線盤
１２１、１２２、１２３、１２４、１３１、１３２、１３３、１３４  カプラ付接続コネクタ
１４１  伝送装置識別機
１５１  通信回線多重化部（合波部）
１５２  電気／光信号変換部
１５３  装置識別信号送出部
１５４  光波長多重化部
２０１、２０５、３０１、７０１、７０２、７０５  入力部
２０２  分波部
２０３、２０４、２０６、６０３、７０４、７０６  出力部
２０７  切断部
３０２  識別信号抽出部
３０３  識別情報出力部
５０１  識別信号生成装置
６０１  装置ＩＤ入力部
６０２  装置識別信号生成部
７０３  光波長多重化部（合波部）
【図１】
2018207183.tif 000003
【図２】
2018207183.tif 000004
【図３】
2018207183.tif 000005
【図４】
2018207183.tif 000006
【図５】
2018207183.tif 000007
【図６】
2018207183.tif 000008
【図７】
2018207183.tif 000009